(57)【特許請求の範囲】
【請求項１】
互いに異なる優先度を有する複数のサービスによる呼が存在し、それぞれの呼がリソースを共用して接続を行う通信において、呼受付を制御する呼受付制御方法であって、
前記複数のサービスについて、対応する複数の呼受付閾値をそれぞれでの前記優先度に応じてあらかじめ設定し、
要求された呼に対し、監視対象とされた所定のリソースのリソース使用状況と、その呼での前記サービスに対応する前記呼受付閾値とを比較して、その比較結果に基づいて前記要求された呼に対する新規の呼受付を規制するとともに、
前記複数のサービスは、優先度が高い第１のサービスと、前記第１のサービスよりも優先度が低い第２のサービスとを少なくとも含み、
前記第１のサービスに対応する前記呼受付閾値を、前記第２のサービスに対応する前記呼受付閾値よりも高く設定し、
前記複数のサービスのうち、交換方式として回線交換方式を用いたサービスを優先度が高い前記第１のサービスとし、かつ、パケット交換方式を用いたサービスを優先度が低い前記第２のサービスとすることを特徴とする呼受付制御方法。
【請求項２】
前記リソース使用状況を測定して、その測定値を取得するリソース測定ステップと、
前記測定値と、前記要求された呼での前記サービスに対応する前記呼受付閾値とを比較して、前記比較結果を得る比較結果取得ステップと、
前記測定値が前記呼受付閾値を超えているとの前記比較結果が得られたときに、前記要求された呼に対する新規の呼受付を拒否する呼受付規制ステップと
を備えることを特徴とする請求項１記載の呼受付制御方法。
【請求項３】
前記通信に用いられる接続方式は、ＦＤＭＡ方式またはＴＤＭＡ方式であり、前記監視対象とされる前記リソースは、チャネル数、または無線機数の少なくとも１つであることを特徴とする請求項１または２記載の呼受付制御方法。
【請求項４】
前記通信に用いられる接続方式は、ＣＤＭＡ方式であり、前記監視対象とされる前記リソースは、上り干渉量、下り送信電力、使用装置数、または拡散符号数の少なくとも１つであることを特徴とする請求項１または２記載の呼受付制御方法。
【請求項５】
互いに異なる優先度を有する複数のサービスによる呼が存在し、それぞれの呼がリソースを共用して接続を行う通信において、呼受付を制御する呼受付制御方法が適用される通信システムであって、
前記複数のサービスについて、対応する複数の呼受付閾値をそれぞれでの前記優先度に応じてあらかじめ設定し、
要求された呼に対し、監視対象とされた所定のリソースのリソース使用状況と、その呼での前記サービスに対応する前記呼受付閾値とを比較して、その比較結果に基づいて前記要求された呼に対する新規の呼受付を規制するとともに、
前記複数のサービスは、優先度が高い第１のサービスと、前記第１のサービスよりも優先度が低い第２のサービスとを少なくとも含み、
前記第１のサービスに対応する前記呼受付閾値を、前記第２のサービスに対応する前記呼受付閾値よりも高く設定し、
前記複数のサービスのうち、交換方式として回線交換方式を用いたサービスを優先度が高い前記第１のサービスとし、かつ、パケット交換方式を用いたサービスを優先度が低い前記第２のサービスとすることを特徴とする通信システム。
【請求項６】
前記通信に用いられる接続方式は、ＦＤＭＡ方式またはＴＤＭＡ方式であり、前記監視対象とされる前記リソースは、チャネル数、または無線機数の少なくとも１つであることを特徴とする請求項５記載の通信システム。
【請求項７】
前記通信に用いられる接続方式は、ＣＤＭＡ方式であり、前記監視対象とされる前記リソースは、上り干渉量、下り送信電力、使用装置数、または拡散符号数の少なくとも１つであることを特徴とする請求項５記載の通信システム。
【請求項８】
互いに異なる優先度を有する複数のサービスによる呼が存在し、それぞれの呼がリソースを共用して接続を行う通信において、呼受付を制御する呼受付制御方法が適用される基地局装置であって、
前記複数のサービスについて、対応する複数の呼受付閾値をそれぞれでの前記優先度に応じてあらかじめ設定し、
要求された呼に対し、監視対象とされた所定のリソースのリソース使用状況と、その呼での前記サービスに対応する前記呼受付閾値とを比較して、その比較結果に基づいて前記要求された呼に対する新規の呼受付を規制するとともに、
前記複数のサービスは、優先度が高い第１のサービスと、前記第１のサービスよりも優先度が低い第２のサービスとを少なくとも含み、
前記第１のサービスに対応する前記呼受付閾値を、前記第２のサービスに対応する前記呼受付閾値よりも高く設定し、
前記複数のサービスのうち、交換方式として回線交換方式を用いたサービスを優先度が高い前記第１のサービスとし、かつ、パケット交換方式を用いたサービスを優先度が低い前記第２のサービスとすることを特徴とする基地局装置。
【請求項９】
前記リソース使用状況を測定して、その測定値を取得するリソース測定手段と、
前記測定値と、前記要求された呼での前記サービスに対応する前記呼受付閾値とを比較して、前記比較結果を得る比較結果取得手段と、
前記測定値が前記呼受付閾値を超えているとの前記比較結果が得られたときに、前記要求された呼に対する新規の呼受付を拒否する呼受付規制手段と
を備えることを特徴とする請求項８記載の基地局装置。
【請求項１０】
前記通信に用いられる接続方式は、ＦＤＭＡ方式またはＴＤＭＡ方式であり、前記監視対象とされる前記リソースは、チャネル数、または無線機数の少なくとも１つであることを特徴とする請求項８または９記載の基地局装置。
【請求項１１】
前記通信に用いられる接続方式は、ＣＤＭＡ方式であり、前記監視対象とされる前記リソースは、上り干渉量、下り送信電力、使用装置数、または拡散符号数の少なくとも１つであることを特徴とする請求項８または９記載の基地局装置。
【発明の詳細な説明】
【０００１】
【発明の属する技術分野】
本発明は、複数のユーザがリソースを共用して接続を行う通信に適用される呼受付制御方法、通信システム、及び基地局装置に関するものである。
【０００２】
【従来の技術】
無線基地局及び複数の移動局から構成される移動通信システムでは、基地局と移動局との間で、無線通信回線によってデータの通信（送受信）が行われる。このようなデータの送受信に用いられる交換方式としては、回線交換方式及びパケット交換方式がある。
【０００３】
また、接続方式としては、符号分割多元接続（ＣＤＭＡ：Code Division Multiple Access）方式、周波数分割多元接続（ＦＤＭＡ：Frequency Division Multiple Access）方式、及び時分割多元接続（ＴＤＭＡ：Time Division Multiple Access）方式がある。
【０００４】
【発明が解決しようとする課題】
上記した移動通信システムでは、用いられる交換方式、接続方式にかかわらず、複数のユーザが同一の無線リソースを共用することによって、多元接続によるデータの送受信が行われる。
【０００５】
例えば、ＣＤＭＡ方式では、複数のユーザの通信波が同じ無線周波数帯に多重され、上り干渉量、下り送信電力、拡散符号などの無線リソースが複数のユーザによって共有される。
【０００６】
ここで、拡散符号は、ＣＤＭＡ方式による多元接続において各ユーザに割り当てられるものであり、ユーザ毎の通信波の識別に用いられる。この拡散符号としては、同期下で互いに直交する拡散符号を用いることによって、通信波間の影響をなくすことができることから、同期の実現が容易な下り回線（基地局から移動局への送信）では、直交拡散符号群が用いられる。ただし、互いに直交する拡散符号の数には上限があり、それらの有限個数の拡散符号が複数のユーザによって共有される。
【０００７】
また、上り回線（移動局から基地局への送信）では、異なるユーザからの通信波は、互いに干渉波として作用する。このような通信波の干渉に対して、同時にデータの送受信を行っているユーザ数が多くなって上り干渉量が増大した場合にも必要な通信品質が確保されるように、移動局からの通信波の送信電力を増加させることが可能である。ただし、送信電力には上限があるため、上り干渉量が限界値を超えると通信品質の低下を生じることとなる。すなわち、ＣＤＭＡ方式の上り回線では、有限の上り干渉量が複数のユーザによって共有される。また、ＣＤＭＡ方式の下り回線では、基地局からの有限の送信電力が複数のユーザによって共有される。
【０００８】
また、ＦＤＭＡ方式やＴＤＭＡ方式を用いた場合にも、ＣＤＭＡ方式と同様に、同一の無線リソースが複数のユーザによって共有される。ＦＤＭＡ方式では、基地局の変復調装置、送信電力、キャリアなどの無線リソースが共有される。また、ＴＤＭＡ方式では、基地局の変復調装置、送信電力、タイムスロットなどの無線リソースが共有される。
【０００９】
複数のユーザによって共用される上記した有限な無線リソースに対して、ユーザから生起される回線交換呼やパケット呼などによる呼要求をすべて受け付けると、共用される無線リソースが不足して、各ユーザに対する通信品質が劣化するという問題を生じる。
【００１０】
このような通信品質の劣化を回避するため、移動通信システムでは、無線リソースの使用状況に応じて、各時点での呼受付を制御する呼受付制御が行われる。呼受付の制御方法としては、例えば、無線リソースの使用状況に対する上限値となる呼受付閾値を設定しておき、リソース使用状況の測定値がこの呼受付閾値を超えている期間、新規の呼受付を規制する方法がある。
【００１１】
近年、様々な種類のマルチメディア通信の発展と、通信システムの経済化への要求の高まりにより、多様なサービスを同一の通信システムを用いて提供する必要性が増大している。例えば、固定電話網、携帯電話網、インターネット網などにおいては、既に１つのシステム中に複数のサービスが混在し、サービスの多様化が進められている。
【００１２】
ここで、通信システムで利用されるサービスには、通常の電話のように、リアルタイム性が要求されるサービスがある。また、インターネットを介したデータのダウンロードのように、ある程度のデータの伝送遅延が許容されるサービスがある。また、同じ電話であっても、個人間の通常の電話と緊急電話などのように、重要性や緊急性が異なる場合がある。
【００１３】
このような様々なサービスが共存する通信システムでは、呼受付閾値を設定して制御を行うのみでは、呼受付制御による各サービスの保護を充分に実現することができない。すなわち、単に呼受付閾値を設定して制御を行うと、優先度が高いサービスによる呼に対して呼受付が規制されたり、優先度が低いサービスによる呼に圧迫されて優先度が高いサービスによる呼の通信品質が劣化し、場合によってはサービスが強制切断されるなどの問題を生じる。この呼受付制御の問題は、移動通信システムに限らず、リソースが共用される通信システムにおいて一般に生じるものである。
【００１４】
本発明は、以上の問題点を解決するためになされたものであり、リソースを共用して接続を行う通信において、利用するサービスに応じて、呼受付の制御によって好適に通信品質の劣化が抑制される呼受付制御方法、通信システム、及び基地局装置を提供することを目的とする。
【００１５】
【課題を解決するための手段】
このような目的を達成するために、本発明による呼受付制御方法は、互いに異なる優先度を有する複数のサービスによる呼が存在し、それぞれの呼がリソースを共用して接続を行う通信において、呼受付を制御する呼受付制御方法であって、複数のサービスについて、対応する複数の呼受付閾値をそれぞれでの優先度に応じてあらかじめ設定し、要求された呼に対し、監視対象とされた所定のリソースのリソース使用状況と、その呼でのサービスに対応する呼受付閾値とを比較して、その比較結果に基づいて要求された呼に対する新規の呼受付を規制するとともに、複数のサービスは、優先度が高い第１のサービスと、第１のサービスよりも優先度が低い第２のサービスとを少なくとも含み、第１のサービスに対応する呼受付閾値を、第２のサービスに対応する呼受付閾値よりも高く設定し、複数のサービスのうち、交換方式として回線交換方式を用いたサービスを優先度が高い第１のサービスとし、かつ、パケット交換方式を用いたサービスを優先度が低い第２のサービスとすることを特徴とする。
【００１６】
また、本発明による通信システムは、互いに異なる優先度を有する複数のサービスによる呼が存在し、それぞれの呼がリソースを共用して接続を行う通信において、呼受付を制御する呼受付制御方法が適用される通信システムであって、複数のサービスについて、対応する複数の呼受付閾値をそれぞれでの優先度に応じてあらかじめ設定し、要求された呼に対し、監視対象とされた所定のリソースのリソース使用状況と、その呼でのサービスに対応する呼受付閾値とを比較して、その比較結果に基づいて要求された呼に対する新規の呼受付を規制するとともに、複数のサービスは、優先度が高い第１のサービスと、第１のサービスよりも優先度が低い第２のサービスとを少なくとも含み、第１のサービスに対応する呼受付閾値を、第２のサービスに対応する呼受付閾値よりも高く設定し、複数のサービスのうち、交換方式として回線交換方式を用いたサービスを優先度が高い第１のサービスとし、かつ、パケット交換方式を用いたサービスを優先度が低い第２のサービスとすることを特徴とする。
【００１７】
また、本発明による基地局装置は、互いに異なる優先度を有する複数のサービスによる呼が存在し、それぞれの呼がリソースを共用して接続を行う通信において、呼受付を制御する呼受付制御方法が適用される基地局装置であって、複数のサービスについて、対応する複数の呼受付閾値をそれぞれでの優先度に応じてあらかじめ設定し、要求された呼に対し、監視対象とされた所定のリソースのリソース使用状況と、その呼でのサービスに対応する呼受付閾値とを比較して、その比較結果に基づいて要求された呼に対する新規の呼受付を規制するとともに、複数のサービスは、優先度が高い第１のサービスと、第１のサービスよりも優先度が低い第２のサービスとを少なくとも含み、第１のサービスに対応する呼受付閾値を、第２のサービスに対応する呼受付閾値よりも高く設定し、複数のサービスのうち、交換方式として回線交換方式を用いたサービスを優先度が高い第１のサービスとし、かつ、パケット交換方式を用いたサービスを優先度が低い第２のサービスとすることを特徴とする。
【００１８】
上記した呼受付制御方法、通信システム、及び基地局装置においては、互いに異なる優先度を有する複数のサービスによる呼が共存する移動通信などの通信において、リソース使用状況に対して呼受付閾値を適用して、新規の呼受付の規制を行うとともに、その規制に用いられる呼受付閾値として、サービスの優先度に応じてそれぞれ設定された呼受付閾値を用いている。
【００１９】
このとき、各サービスの優先度の違いに応じて、新規の呼受付の規制方法を変更することができる。これによって、リソースを共用して接続を行う通信において、通信品質の劣化を抑制するとともに、利用するサービスに応じて好適に呼受付を制御することが可能となる。なお、各サービスの優先度とは、具体的には、上述した通信のリアルタイム性、重要度、緊急度に対応するものである。
【００２０】
サービスの優先度に応じた呼受付閾値の設定としては、具体的には、複数のサービスが、優先度が高い第１のサービスと、第１のサービスよりも優先度が低い第２のサービスとを少なくとも含み、第１のサービスに対応する呼受付閾値を、第２のサービスに対応する呼受付閾値よりも高く設定することを特徴とする。
【００２１】
このように呼受付閾値を設定することにより、各サービスの優先度に対応して、好適に呼受付を制御することができる。
【００２２】
このとき、複数のサービスのうち、交換方式として回線交換方式を用いたサービスを優先度が高い第１のサービスとし、かつ、パケット交換方式を用いたサービスを優先度が低い第２のサービスとすることが好ましい。
【００２３】
回線交換方式は、回線交換呼によって接続されたユーザの通信に対して、伝送されるデータの有無に関わらず一定のリソースを占有させる方式であり、リアルタイム性の必要度（優先度）が高いサービスに用いられる。一方、パケット交換方式は、パケット呼によって接続されたユーザの通信に対して、伝送されるデータをパケットと呼ばれる小単位のデータによる構成とし、必要に応じてリソースを占有させて、パケット単位でデータを伝送する方式であり、リアルタイム性の必要度（優先度）が低いサービスに用いられる。
【００２４】
このような２つの交換方式に対して、回線交換方式で呼受付閾値を高く、パケット交換方式で呼受付閾値を低く設定することにより、各サービスの優先度に対応した呼受付の制御を簡易に行うことが可能となる。
【００２５】
また、呼受付制御方法は、（１）リソース使用状況を測定して、その測定値を取得するリソース測定ステップと、（２）測定値と、要求された呼でのサービスに対応する呼受付閾値とを比較して、比較結果を得る比較結果取得ステップと、（３）測定値が呼受付閾値を超えているとの比較結果が得られたときに、要求された呼に対する新規の呼受付を拒否する呼受付規制ステップとを備えることを特徴とする。
【００２６】
同様に、基地局装置は、（１）リソース使用状況を測定して、その測定値を取得するリソース測定手段と、（２）測定値と、要求された呼でのサービスに対応する呼受付閾値とを比較して、比較結果を得る比較結果取得手段と、（３）測定値が呼受付閾値を超えているとの比較結果が得られたときに、要求された呼に対する新規の呼受付を拒否する呼受付規制手段とを備えることを特徴とする。
【００２７】
このように、リソース使用状況について測定値を取得するとともに、その測定値と呼受付閾値との大小を比較して新規の呼受付の許可または拒否を判断することによって、新規の呼受付の規制を効率的に実現することができる。
【００２８】
それぞれの呼でのサービスに対応する呼受付閾値によって、呼受付制御に用いる比較結果を得るための具体的な方法としては、呼受付制御方法は、（４）要求された呼でのサービスを判別するサービス判別ステップをさらに備え、（２）比較結果取得ステップは、（２ａ）測定値と、複数の呼受付閾値のそれぞれとを比較して、複数の比較結果を得る比較ステップと、（２ｂ）判別されたサービスに基づいて、複数の比較結果から対応する比較結果を選択する比較結果選択ステップとを含む方法がある。
【００２９】
同様に、基地局装置は、（４）要求された呼でのサービスを判別するサービス判別手段をさらに備え、（２）比較結果取得手段は、（２ａ）測定値と、複数の呼受付閾値のそれぞれとを比較して、複数の比較結果を得る比較手段と、（２ｂ）判別されたサービスに基づいて、複数の比較結果から対応する比較結果を選択する比較結果選択手段とを含む構成がある。
【００３０】
あるいは、呼受付制御方法は、（４）要求された呼でのサービスを判別するサービス判別ステップをさらに備え、（２）比較結果取得ステップは、（２ｃ）判別されたサービスに基づいて、複数の呼受付閾値から対応する呼受付閾値を選択する閾値選択ステップと、（２ｄ）測定値と、選択された呼受付閾値とを比較して、比較結果を得る比較ステップとを含む方法がある。
【００３１】
同様に、基地局装置は、（４）要求された呼でのサービスを判別するサービス判別手段をさらに備え、（２）比較結果取得手段は、（２ｃ）判別されたサービスに基づいて、複数の呼受付閾値から対応する呼受付閾値を選択する閾値選択手段と、（２ｄ）測定値と、選択された呼受付閾値とを比較して、比較結果を得る比較手段とを含む構成がある。
【００３２】
また、呼受付の制御に用いられるリソースについては、例えば、通信に用いられる接続方式が、ＦＤＭＡ方式またはＴＤＭＡ方式であり、監視対象とされるリソースは、チャネル数、または無線機数の少なくとも１つであることを特徴とすることが好ましい。
【００３３】
あるいは、通信に用いられる接続方式が、ＣＤＭＡ方式であり、監視対象とされるリソースは、上り干渉量、下り送信電力、使用装置数、または拡散符号数の少なくとも１つであることを特徴とすることが好ましい。
【００３４】
【発明の実施の形態】
以下、図面とともに本発明による呼受付制御方法、通信システム、及び基地局装置の好適な実施形態について詳細に説明する。なお、図面の説明においては同一要素には同一符号を付し、重複する説明を省略する。また、図面の寸法比率は、説明のものと必ずしも一致していない。
【００３５】
図１は、本発明による通信システムである移動通信システムの一実施形態の構成を示す模式図である。図１に示す移動通信システムは、複数の無線基地局１０と、基地局１０に対して無線通信回線によって接続されて、データの通信（送受信）を行う複数の移動局６０とから構成される。このような構成の移動通信システムでは、移動局６０から基地局１０へと送信を行う通信回線が上り回線、基地局１０から移動局６０へと送信を行う通信回線が下り回線である。
【００３６】
この移動通信システムは、それぞれの呼が無線リソースを共用して多元接続を行う移動通信システムとして構成されている。すなわち、複数の移動局６０に対応する各ユーザの通信によって、同一の無線リソースが共有される。共用される無線リソースについては、具体的には後述する。
【００３７】
また、本移動通信システムでは、優先度が異なる複数のサービスが同一の通信システムを用いて提供されている。すなわち、互いに異なる優先度を有する複数のサービスによる呼が共存している。また、基地局１０及び移動局６０の間でデータの送受信を行うための交換方式として、パケット交換方式及び回線交換方式のいずれかまたは両方が用いられる。また、接続方式としては、例えば、ＣＤＭＡ方式、ＦＤＭＡ方式、ＴＤＭＡ方式など、所定の通信方式が用いられる。
【００３８】
図２は、図１に示した移動通信システムにおいて無線基地局として用いられる、本発明による基地局装置の一実施形態の構成を示すブロック図である。なお、本実施形態においては、互いに異なる優先度を有する複数のサービスとして、優先度が高い第１のサービスであるサービスＡ、及びサービスＡよりも優先度が低い第２のサービスであるサービスＢの２種類のサービスが提供されているものとする。
【００３９】
本基地局装置１０は、送受信部（送受信機）２０と、呼受付制御部３０とを備えて構成されている。また、呼受付制御部３０には、呼処理制御装置４０及びメモリ５０が接続されている。
【００４０】
送受信部２０は、呼受付制御部３０、及び外部への伝送路（図示していない）に接続されており、呼受付制御部３０からの指示等に基づいてデータの送受信を行う。図２においては、送受信部２０の構成の一例として、第１〜第ｎのｎ個の送受信機２１と、これらの送受信機２１に接続されてそれぞれを制御する送受信機制御装置２２とを有する構成の送受信部２０が示されている。
【００４１】
呼受付制御部３０は、呼受付制御装置３１、リソース測定装置（リソース測定手段）３２、サービス判別器（サービス判別手段）３３、第１比較器（比較手段）３４、第２比較器（比較手段）３５、及び比較結果選択器（比較結果選択手段）３６を有して構成されている。呼受付制御装置３１は、送受信部２０及び比較結果選択器３６に接続されており、呼処理制御装置４０からの要求に応じて、送受信部２０による呼受付動作、データの送受信動作を制御するとともに、メモリ５０に対して、必要なデータの読出し、更新、書込み等を行う。
【００４２】
リソース測定装置３２は、送受信部２０、第１比較器３４、及び第２比較器３５に接続されており、監視対象とされている送受信部２０での無線リソースのリソース使用状況を測定し、その測定値を第１比較器３４及び第２比較器３５へと出力する。サービス判別器３３は、送受信部２０、呼受付制御装置３１、及び比較結果選択器３６に接続されており、送受信部２０または呼受付制御装置３１からの情報に基づいて、要求されている呼でのサービスの種別、またはそのサービスの優先度を判別して、サービス情報を比較結果選択器３６へと出力する。
【００４３】
第１比較器３４は、サービスＡに対応して設けられている比較器である。この第１比較器３４は、リソース測定装置３２及び比較結果選択器３６に接続されており、リソース使用状況の測定値、及びサービスＡでの呼受付閾値（第１閾値）を比較して、その比較結果を比較結果選択器３６へと出力する。一方、第２比較器３５は、サービスＢに対応して設けられている比較器である。この第２比較器３５は、リソース測定装置３２及び比較結果選択器３６に接続されており、リソース使用状況の測定値、及びサービスＢでの呼受付閾値（第２閾値）を比較して、その比較結果を比較結果選択器３６へと出力する。
【００４４】
比較結果選択器３６は、呼受付制御装置３１、サービス判別器３３、第１比較器３４、及び第２比較器３５に接続されており、サービス判別器３３から入力されたサービス情報に基づいて、第１比較器３４及び第２比較器３５からの比較結果の一方を選択し、呼受付制御装置３１へと出力する。そして、呼受付制御装置３１は、入力された比較結果に基づいて、新規の呼受付の許可または拒否を判断して呼受付を規制する呼受付規制処理を行う。
【００４５】
ここで、この呼受付制御装置３１が、リソース使用状況の測定値と呼受付閾値との比較結果に基づいて、新規の呼受付の規制を行う呼受付規制手段となっている。また、２つの第１比較器３４、第２比較器３５、及び比較結果選択器３６が、新規の呼受付の規制に用いられる比較結果を取得する比較結果取得手段を構成している。
【００４６】
図３は、図２に示した基地局装置１０を用いた移動通信システムにおける呼受付制御方法の一例を示すフローチャートである。呼処理制御装置４０から新たな呼（サービスＡまたはサービスＢによる呼）の接続要求があると、呼受付規制処理を含む呼受付処理が開始される。
【００４７】
ここで、呼受付規制処理においては、所定の無線リソースが監視対象として指定されている。また、その監視対象とされた無線リソースのリソース使用状況に対して、それぞれのサービスの優先度に応じて、異なる呼受付閾値があらかじめ設定されている。
【００４８】
具体的には、優先度が高いサービスＡによって要求される呼に対して、第１閾値である呼受付閾値ｘAが設定されている（ステップＳ２００）。また、優先度が低いサービスＢによって要求される呼に対して、第２閾値である呼受付閾値ｘBが設定されている（ステップＳ３００）。なお、サービスＡの第１閾値ｘAは、優先度が低いサービスＢの第２閾値ｘBよりも高く（ｘB＜ｘA）設定されており、これによって、各サービスの優先度に対応して、好適に呼受付が制御されている。また、これらの呼受付閾値ｘA、ｘBなどの必要なデータは、例えば呼受付制御部３０に接続されたメモリ５０に格納されている。
【００４９】
生起された新たな呼要求に対して、呼受付閾値を適用して行う呼受付規制処理を開始する。まず、監視対象とされた無線リソースについて、リソース測定装置３２によって、送受信部２０でのリソース使用状況が測定される（Ｓ１０１、リソース測定ステップ）。取得された測定値ｘは、第１比較器３４及び第２比較器３５のそれぞれへと出力される。
【００５０】
次に、第１比較器３４において、リソース測定装置３２から入力されたリソース使用状況の測定値ｘと、サービスＡでの呼受付閾値ｘAとの比較が行われる（Ｓ２０１、比較ステップ）。そして、得られた比較結果（第１比較結果）が、比較結果選択器３６へと出力される（Ｓ２０２）。具体的には、例えば、測定値ｘと第１閾値ｘAとの大小を比較する。そして、測定値ｘが第１閾値ｘA以下であれば（ｘ≦ｘA）、比較結果として「０」を出力する。一方、測定値ｘが第１閾値ｘAよりも大きければ（ｘ＞ｘA）、比較結果として「１」を出力する。
【００５１】
また、第２比較器３５において、リソース測定装置３２から出力されたリソース使用状況の測定値ｘと、サービスＢでの呼受付閾値ｘBとの比較が行われる（Ｓ３０１、比較ステップ）。そして、得られた比較結果（第２比較結果）が、比較結果選択器３６へと出力される（Ｓ３０２）。具体的には、例えば、測定値ｘと第２閾値ｘBとの大小を比較する。そして、測定値ｘが第２閾値ｘB以下であれば（ｘ≦ｘB）、比較結果として「０」を出力する。一方、測定値ｘが第２閾値ｘBよりも大きければ（ｘ＞ｘB）、比較結果として「１」を出力する。
【００５２】
一方、サービス判別器３３において、送受信部２０または呼受付制御装置３１からの情報に基づいて、要求された呼でのサービスの種別、またはそのサービスの優先度が判別される（Ｓ１０２、サービス判別ステップ）。判別されたサービスの種別または優先度についてのサービス情報は、比較結果選択器３６へと出力される。
【００５３】
続いて、比較結果選択器３６において、サービス判別器３３から入力されたサービス情報に応じて、第１、第２比較器３４、３５からの第１、第２比較結果の一方が選択される（Ｓ１０３、比較結果選択ステップ）。選択された比較結果は、呼受付制御装置３１へと出力される。以上のステップＳ２０１、Ｓ２０２、Ｓ３０１、Ｓ３０２、及びＳ１０３によって、新規の呼受付の規制に用いられる比較結果が取得される（比較結果取得ステップ）。
【００５４】
比較結果選択器３６としては、例えば、第１比較器３４に接続された第１端子、第２比較器３５に接続された第２端子、及び呼受付制御装置３１に接続された第３端子を有し、第３端子に対して、第１端子または第２端子への接続が切換え可能なスイッチが用いられる。
【００５５】
この場合、サービス判別器３３からサービスＡによる呼要求とのサービス情報が入力されたときには、第３端子が第１端子へと接続されて第１比較器３４からの第１比較結果が選択され、呼受付制御装置３１へと出力される。また、サービスＢによる呼要求とのサービス情報が入力されたときには、第３端子が第２端子へと接続されて第２比較器３５からの第２比較結果が選択され、呼受付制御装置３１へと出力される。
【００５６】
呼受付制御装置３１は、比較結果選択器３６から入力された比較結果に基づいて、呼受付規制処理を含む呼受付処理を行う。まず、比較結果選択器３６で選択された比較結果が「０」または「１」のいずれであるかが判断される（Ｓ１０４）。そして、比較結果出力が「０」、すなわち、リソース使用状況の測定値ｘが呼受付閾値以下であれば、呼受付を許可するように送受信部２０を制御する（Ｓ１０５）。一方、比較結果出力が「１」、すなわち、リソース使用状況の測定値ｘが呼受付閾値よりも大きければ、呼受付を拒否する（Ｓ１０６）。以上のステップＳ１０４〜Ｓ１０６によって、各サービスの優先度に応じた新規の呼受付の規制が行われる（呼受付規制ステップ）。
【００５７】
図１〜図３に示した移動通信システム、基地局装置、及び呼受付制御方法の効果について、具体的な通信状況の例を示しつつ説明する。
【００５８】
本実施形態による呼受付制御方法、移動通信システム（通信システム）、及び基地局装置においては、互いに異なる優先度を有する複数のサービス、上記の例ではサービスＡ及びサービスＢ、による呼が共存する移動通信などの通信において、無線リソースなどのリソース使用状況に対して呼受付閾値を適用して、新規の呼受付の規制を行うとともに、その規制に用いられる呼受付閾値として、サービスの優先度に応じてそれぞれ設定された呼受付閾値を用いている。
【００５９】
このとき、各サービスの優先度の違いに応じて、新規の呼受付の規制方法を変更することができる。これによって、リソースを共用して接続を行う通信において、通信品質の劣化を抑制するとともに、ユーザが利用しようとするサービスに応じて好適に呼受付を制御することが可能となる。なお、各サービスの優先度とは、具体的には、そのサービスにおける通信のリアルタイム性、重要度、緊急度に対応するものである。
【００６０】
また、監視対象とされた無線リソースについて、リソース使用状況の測定値を取得し、その測定値と呼受付閾値との大小を比較して、新規の呼受付の許可または拒否を判断している。これによって、新規の呼受付の規制を効率的に実現することができる。
【００６１】
互いに異なる優先度を有する複数のサービスによる呼が共存して、同一のリソースを共用している通信システムに対して、図３に示した呼受付制御方法を適用したときの通信状況の一例を図４に示す。
【００６２】
図４は、サービスＡ及びサービスＢによって要求された呼による接続状況（接続の生起及び終了）、及びリソース使用状況の測定値ｘの時間ｔによる変化を、横軸を時間軸として示すグラフである。サービスＡ及びサービスＢでは、上述したように、サービスＡの優先度がサービスＢよりも高くなっている。
【００６３】
ここで、リソース使用状況の測定値ｘの時間変化を示すグラフには、図３のフローチャートに関して上述したサービスＡでの第１閾値ｘA、サービスＢでの第２閾値ｘB、及び測定値ｘと、実際に通信品質の劣化を生じる品質劣化閾値ｘ0とをそれぞれ示している。第１閾値ｘAは、各サービスの優先度に対応して、第２閾値ｘBよりも高く（ｘB＜ｘA）なっている。
【００６４】
図４に示した通信状況の例では、時刻ｔ1において、リソース使用状況の測定値ｘが、サービスＡに対する閾値ｘAと等しく（ｘ＝ｘA）、また、サービスＢに対する閾値ｘBよりも大きく（ｘ＞ｘB）なっている。
【００６５】
この状況で、優先度が低いサービスＢによる呼要求ＣBがあると、測定値ｘがサービスＢに対する呼受付閾値ｘBを超えているため、この呼要求は新規の呼受付の規制を受けて、呼受付が拒否される。さらにその後、優先度が高いサービスＡによる呼要求ＣAがあると、測定値ｘがサービスＡに対する呼受付閾値ｘA以下となっているため、この呼要求に対して呼受付が許可される。
【００６６】
これに対して、図５に、同様の通信状況に対して、サービスの優先度にかかわらず同一の呼受付閾値ｘCが適用された例が示されている。この例では、時刻ｔ1において、リソース使用状況の測定値ｘが、サービスＡ及びサービスＢに対して共通の呼受付閾値ｘCと等しく（ｘ＝ｘC）なっている。
【００６７】
この状況で、優先度が低いサービスＢによる呼要求ＣBがあると、測定値ｘが共通の呼受付閾値ｘC以下となっているため、この呼要求に対して呼受付が許可される。さらにその後、優先度が高いサービスＡによる呼要求ＣAがあると、呼要求ＣBに対して既に呼受付を許可したことによって、測定値ｘが呼受付閾値ｘCを超えているため、この呼要求は新規の呼受付の規制を受けて、呼受付が拒否される。
【００６８】
すなわち、各サービスに対して共通の呼受付閾値が設定されている図５に示した通信状況の例では、サービスＢによる呼要求ＣBを受け付けたためにサービスＡによる呼要求ＣAが規制を受けており、優先度が高いサービスＡによる呼が、優先度が低いサービスＢによる呼によって圧迫されている。
【００６９】
これに対して、図４に示した通信状況の例では、サービスの優先度に応じて呼受付閾値を設定する上述した呼受付制御方法を用いることにより、優先度が高いサービスＡによる呼要求が、サービスＢによる呼要求に対して優先して受け付けられている。したがって、通信システムにおいてユーザが利用しようとするサービスが、それぞれの優先度に応じて好適に保護される。
【００７０】
各ユーザからの多元接続によって共用されるとともに、リソース使用状況の監視対象として用いられるリソースとしては、様々なものを適用可能である。このようなリソースとしては、例えば、ＦＤＭＡ方式またはＴＤＭＡ方式では、チャネル数、または無線機数の少なくとも１つとすることが好ましい。また、ＣＤＭＡ方式では、上り干渉量、下り送信電力、使用装置数、または拡散符号数の少なくとも１つであることが好ましい。
【００７１】
また、複数のサービスそれぞれの優先度については、交換方式として回線交換方式を用いたサービスを、優先度が高い第１のサービス（上記の例ではサービスＡ）とし、かつ、パケット交換方式を用いたサービスを、優先度が低い第２のサービス（上記の例ではサービスＢ）とすることが好ましい。
【００７２】
回線交換方式は、回線交換呼によって接続されたユーザの通信に対して、伝送されるデータの有無に関わらず一定のリソースを占有させる方式であり、リアルタイム性の必要度（優先度）が高いサービスに用いられる。一方、パケット交換方式は、パケット呼によって接続されたユーザの通信に対して、伝送されるデータをパケットと呼ばれる小単位のデータによる構成とし、必要に応じてリソースを占有させて、パケット単位でデータを伝送する方式であり、リアルタイム性の必要度（優先度）が低いサービスに用いられる。
【００７３】
このような２つの交換方式に対して、回線交換方式で呼受付閾値を高く、パケット交換方式で呼受付閾値を低く設定することにより、各サービスの優先度に対応した呼受付の制御を簡易に行うことが可能となる。
【００７４】
また、例えば、同様に回線交換方式を用いる通話であっても、通常の電話と、緊急電話とでは、重要性及び緊急性が異なり、したがって、優先度が異なる。このような場合にも、上記した呼受付制御方法を適用することができる。
【００７５】
図６は、図１に示した移動通信システムにおいて無線基地局として用いられる、本発明による基地局装置の他の実施形態の構成を示すブロック図である。なお、本実施形態においては、図２に示した実施形態と同様に、互いに異なる優先度を有する複数のサービスとして、優先度が高い第１のサービスであるサービスＡ、及びサービスＡよりも優先度が低い第２のサービスであるサービスＢの２種類のサービスが提供されているものとする。
【００７６】
本基地局装置１０は、送受信部（送受信機）２０と、呼受付制御部３０とを備えて構成されている。また、呼受付制御部３０には、呼処理制御装置４０及びメモリ５０が接続されている。ここで、送受信部２０、呼処理制御装置４０、及びメモリ５０の構成等については、図２に示した実施形態の基地局装置と同様である。
【００７７】
呼受付制御部３０は、呼受付制御装置３１、リソース測定装置（リソース測定手段）３２、サービス判別器（サービス判別手段）３３、閾値選択器（閾値選択手段）３７、及び比較器（比較手段）３８を有して構成されている。呼受付制御装置３１は、送受信部２０及び比較器３８に接続されており、呼処理制御装置４０からの要求に応じて、送受信部２０による呼受付動作、データの送受信動作を制御するとともに、メモリ５０に対して、必要なデータの読出し、更新、書込み等を行う。
【００７８】
リソース測定装置３２は、送受信部２０及び比較器３８に接続されており、監視対象とされている送受信部２０での無線リソースのリソース使用状況を測定し、その測定値を比較器３８へと出力する。サービス判別器３３は、送受信部２０、呼受付制御装置３１、及び閾値選択器３７に接続されており、送受信部２０または呼受付制御装置３１からの情報に基づいて、要求されている呼でのサービスの種別、またはそのサービスの優先度を判別して、サービス情報を閾値選択器３７へと出力する。
【００７９】
閾値選択器３７は、サービス判別器３３及び比較器３８に接続されており、サービス判別器３３から入力されたサービス情報に基づいて、サービスＡに対応する呼受付閾値（第１閾値）及びサービスＢに対応する呼受付閾値（第２閾値）の一方を選択し、比較器３８へと出力する。
【００８０】
比較器３８は、呼受付制御装置３１、リソース測定装置３２、及び閾値選択器３７に接続されており、リソース使用状況の測定値、及び閾値選択器３７で選択された呼受付閾値を比較して、その比較結果を呼受付制御装置３１へと出力する。そして、呼受付制御装置３１は、入力された比較結果に基づいて、新規の呼受付の許可または拒否を判断して呼受付を規制する呼受付規制処理を行う。
【００８１】
ここで、この呼受付制御装置３１が、リソース使用状況の測定値と呼受付閾値との比較結果に基づいて、新規の呼受付の規制を行う呼受付規制手段となっている。また、閾値選択器３７及び比較器３８が、新規の呼受付の規制に用いられる比較結果を取得する比較結果取得手段を構成している。
【００８２】
図７は、図６に示した基地局装置１０を用いた移動通信システムにおける呼受付制御方法の一例を示すフローチャートである。呼処理制御装置４０から新たな呼（サービスＡまたはサービスＢによる呼）の接続要求があると、呼受付規制処理を含む呼受付処理が開始される。
【００８３】
ここで、呼受付規制処理においては、所定の無線リソースが監視対象として指定されている。また、その監視対象とされた無線リソースのリソース使用状況に対して、それぞれのサービスの優先度に応じて、異なる呼受付閾値があらかじめ設定されている。
【００８４】
具体的には、優先度が高いサービスＡによって要求される呼に対して、第１閾値である呼受付閾値ｘAが設定されている（ステップＳ５００）。また、優先度が低いサービスＢによって要求される呼に対して、第２閾値である呼受付閾値ｘBが設定されている（ステップＳ６００）。なお、サービスＡの第１閾値ｘAは、優先度が低いサービスＢの第２閾値ｘBよりも高く（ｘB＜ｘA）設定されており、これによって、各サービスの優先度に対応して、好適に呼受付が制御されている。また、これらの呼受付閾値ｘA、ｘBなどの必要なデータは、例えば呼受付制御部３０に接続されたメモリ５０に格納されている。
【００８５】
生起された新たな呼要求に対して、呼受付閾値を適用して行う呼受付規制処理を開始する。まず、監視対象とされた無線リソースについて、リソース測定装置３２によって、送受信部２０でのリソース使用状況が測定される（Ｓ４０１、リソース測定ステップ）。取得された測定値ｘは、比較器３８へと出力される。
【００８６】
また、サービス判別器３３において、送受信部２０または呼受付制御装置３１からの情報に基づいて、要求された呼でのサービスの種別、またはそのサービスの優先度が判別される（Ｓ４０２、サービス判別ステップ）。判別されたサービスの種別または優先度についてのサービス情報は、閾値選択器３７へと出力される。
【００８７】
次に、閾値選択器３７において、サービス判別器３３から入力されたサービス情報に応じて、サービスＡに対応する呼受付閾値ｘA及びサービスＢに対応する呼受付閾値ｘBの一方が、呼受付閾値ｘCとして選択される（Ｓ４０３、閾値選択ステップ）。選択された呼受付閾値ｘCは、比較器３８へと出力される。
【００８８】
続いて、比較器３８において、リソース測定装置３２から入力されたリソース使用状況の測定値ｘと、選択された呼受付閾値ｘCとの比較が行われる（Ｓ４０４、比較ステップ）。そして、得られた比較結果が、呼受付制御装置３１へと出力される（Ｓ４０５）。具体的には、例えば、測定値ｘと閾値ｘCとの大小を比較する。そして、測定値ｘが閾値ｘC以下であれば（ｘ≦ｘC）、比較結果として「０」を出力する。一方、測定値ｘが閾値ｘCよりも大きければ（ｘ＞ｘC）、比較結果として「１」を出力する。以上のステップＳ４０３〜Ｓ４０５によって、新規の呼受付の規制に用いられる比較結果が取得される（比較結果取得ステップ）。
【００８９】
呼受付制御装置３１は、比較器３８から入力された比較結果に基づいて、呼受付規制処理を含む呼受付処理を行う。まず、比較器３８からの比較結果が「０」または「１」のいずれであるかが判断される（Ｓ４０６）。そして、比較結果出力が「０」、すなわち、リソース使用状況の測定値ｘが呼受付閾値以下であれば、呼受付を許可するように送受信部２０を制御する（Ｓ４０７）。一方、比較結果出力が「１」、すなわち、リソース使用状況の測定値ｘが呼受付閾値よりも大きければ、呼受付を拒否する（Ｓ４０８）。以上のステップＳ４０６〜Ｓ４０８によって、各サービスの優先度に応じた新規の呼受付の規制が行われる（呼受付規制ステップ）。
【００９０】
図６、図７に示した実施形態による呼受付制御方法、移動通信システム（通信システム）、及び基地局装置によっても、図２、図３に示した実施形態と同様に、各サービスの優先度の違いに応じて、新規の呼受付の規制方法を変更することができる。これによって、リソースを共用して接続を行う通信において、通信品質の劣化を抑制するとともに、ユーザが利用しようとするサービスに応じて好適に呼受付を制御することが可能となる。
【００９１】
なお、移動通信システムについて、特開平１０−１３９３７号公報に、サービス種別に複数の閾値を設定しておくことが記載されている。この呼受付制御方法は、サービスの種別に対応して複数の閾値を設定しておき、呼受付のときに移動局からのサービス種別に基づいて閾値を選択し、選択された閾値とユーザ数、干渉量等とを比較して、呼受付を制御するものである。しかしながら、この方法では、どのような閾値を設定することによって好適な呼受付制御が可能となるかが明らかではない。
【００９２】
これに対して、本発明による呼受付制御方法、通信システム、及び基地局装置では、複数のサービスについて、それぞれでの優先度に応じて対応する複数の呼受付閾値を設定することとしている。これによって、複数のユーザが利用しようとするサービスの内容に応じて、それぞれのサービスが好適に保護されるように呼受付を制御することを可能とするものである。
【００９３】
本発明による呼受付制御方法、通信システム、及び基地局装置は、上述した実施形態に限られるものではなく、様々な変形が可能である。例えば、図２、図６に示した基地局装置１０、及び図３、図７に示した呼受付制御方法のフローチャートでは、移動通信システムにおいて提供されているサービスを、サービスＡ及びサービスＢの２種類としている。これに対して、さらに３種類以上のサービスが提供されている場合にも、装置構成または処理手順を拡張して、同様の呼受付制御処理を行うことが可能である。
【００９４】
また、リソース測定装置３２におけるリソースの測定方法については、監視対象として設定されたリソースに応じて、好適な測定方法を用いれば良い。また、通信システムについては、上述した実施形態では例として、無線リソースを共用して多元接続が行われる移動通信システムについて説明したが、上述した呼受付制御方法は、移動通信システムに限らず、リソースが共用される他の形態の通信システムに対しても適用が可能である。
【００９５】
なお、図３、図７のフローチャートに示されているリソース使用状況の測定、及びサービスの判別の２つのステップについては、いずれを先に行っても良く、また、同時に並列処理することとしても良い。また、複数のサービスに対応する複数の呼受付閾値をあらかじめ設定しておくことについては、呼受付の実行前にあらかじめ設定されていれば良い。したがって、例えば、基地局装置において、上位局からの指示等によって各呼受付閾値を変更可能であっても良い。
【００９６】
【発明の効果】
本発明による呼受付制御方法、通信システム、及び基地局装置は、以上詳細に説明したように、次のような効果を得る。すなわち、互いに異なる優先度を有する複数のサービスによる呼が存在する通信において、サービスの優先度に応じて設定された呼受付閾値を用い、リソース使用状況に対して呼受付閾値を適用して新規の呼受付の規制を行う呼受付制御方法、通信システム、及び基地局装置によれば、通信システムでユーザによって利用されるサービスに応じて、呼受付の制御によって好適に通信品質の劣化を抑制することが可能となる。
【図面の簡単な説明】
【図１】移動通信システムの一実施形態の構成を示す模式図である。
【図２】基地局装置の一実施形態の構成を示すブロック図である。
【図３】図２に示した基地局装置を用いた移動通信システムにおける呼受付制御方法の一例を示すフローチャートである。
【図４】図３に示した呼受付制御方法を適用した移動通信システムにおける通信状況について示すグラフである。
【図５】従来の呼受付制御方法を適用した移動通信システムにおける通信状況について示すグラフである。
【図６】基地局装置の他の実施形態の構成を示すブロック図である。
【図７】図６に示した基地局装置を用いた移動通信システムにおける呼受付制御方法の一例を示すフローチャートである。
【符号の説明】
１０…無線基地局（基地局装置）、２０…送受信部、２１…送受信機、２２…送受信機制御装置、３０…呼受付制御部、３１…呼受付制御装置、３２…リソース測定装置、３３…サービス判別器、３４…第１比較器、３５…第２比較器、３６…比較結果選択器、３７…閾値選択器、３８…比較器、４０…呼処理制御装置、５０…メモリ、６０…移動局。
【図１】
0003787496.tif 000002
【図２】
0003787496.tif 000003
【図３】
0003787496.tif 000004
【図４】
0003787496.tif 000005
【図５】
0003787496.tif 000006
【図６】
0003787496.tif 000007
【図７】
0003787496.tif 000008